(57)【要約】【課題】無影灯の左右方向の回動を、軸受けによって行うようにしたので、無影灯の左右方向の回動をスムーズに行うことができ、術者の労力を軽減することができる。【解決手段】無影灯支持アーム５の先端に無影灯４を上下及び左右方向に回動自在に保持する。支持アーム５の先端に該支持アーム５の軸線まわりに回動可能に固定された球体１０と、無影灯４に取り付けられ、支持アーム５の両側から球体１０の表面に圧接される弧状球面１２１ａ、１２２ａを有する摺動部材１２１、１２２と、該摺動部材１２１、１２２を収容し、該摺動部材１２１、１２２を球体表面に圧接する球受け本体１１１、１１２とからなる。無影灯４は、球体１０と共に支持アーム５まわり（左右方向）に回動し、支持アームと平行の方向（上下方向）には、摺動部材の弧状球面が球体の表面を摺動して回動する。【選択図】図１
2011156316.tif 000002
【特許請求の範囲】
【請求項１】
無影灯支持アームの先端に無影灯を上下及び左右方向に回動自在に保持する無影灯保持機構であって、該無影灯保持機構は、前記支持アームの先端に該支持アームの軸線まわりに回動可能に固定された球体と、無影灯に取り付けられ、前記支持アームの両側から前記球体表面に圧接される弧状球面を有する球受本体とから成り、前記無影灯は、前記球体と共に前記支持アームまわりに回動し、前記支持アームと平行の方向には、前記球受本体の弧状球面が前記球体面を摺動して回動することを特徴とする歯科用ユニットにおける無影灯の支持機構。
【発明の詳細な説明】
【技術分野】
【０００１】
本発明は、歯科治療において使用される無影灯の支持機構に係り、無影灯の光照射方向を、左右方向に調整する際の抵抗を小さくして、無影灯の操作を容易にしたものである。
【背景技術】
【０００２】
図２は、本発明が適用される無影灯を有する歯科治療ユニットの一例を説明するための概略構成図で、該歯科治療ユニットは、歯科治療椅子１，ワークテーブル２，うがい装置３，無影灯４，該無影灯を支持するアーム５，インスツルメントホルダ６等から成り、インスツルメントホルダ６には、歯科治療において使用する種々のインスツルメント７が収納されており、周知のように、歯科治療に当り、患者は治療椅子１に座り、頭を安頭台に固定して治療を受ける。治療中、術者は治療椅子１を上下動，倒起動，傾斜動等させて、患者を治療しやすい姿勢にし、インスツルメントホルダ６より歯科治療に必要なインスツルメント７を取り出し、フットコントローラを操作して、取り出したインスツルメントの駆動（例えば、オン・オフ及び回転数等）を制御しながら歯科治療を行う。また、歯科治療中、患者の口腔内の様子を観たい時は、無影灯４を患者の顔面近くに引き寄せ、無影灯４を左右方向（矢印Ａ方向）、上下方向（矢印Ｂ方向）に回動して、患者の口腔内をよりよく照明するようにしている。
【０００３】
図３（Ａ）は、無影灯４をアーム５の先端に取り付けている様子を、無影灯４の後側から見た図で、図示例の場合、無影灯支持アーム５の先端には、球体１０が固定して取り付けられ、該球体１０の表面を無影灯４側に設けられた弧状球面を有する２枚の球受本体１１１、１１２にて、前記球体１０の対向する両側から圧接して取り付け、該球体１０の表面に前記押圧板１１１、１１２の弧状球面を摺動させることによって、無影灯４を左右方向或いは上下方向に回動して、患者の口腔内をよりよく照明するようにしている。
【０００４】
図３（Ｂ）は、前記球体１０と弧状球面を有する球受本体１１１、１１２との関係を説明するための要部概要図で、図示のように、無影灯支持アーム５の先端には、球体１０が、例えば、螺着等によって固定されており、該球体１０は移動（回動）しない。この球体１０の支持アーム５を狭む両側には、それぞれ球受本体１１１、１１２内に収納され、該球体１０の球面と係合して摺動する弧状球面（球受面）１２１ａ、１２２ａをそれぞれ有する摺動部材１２１、１２２が配設され、これら球受本体１１１、１１２を球体１０に対してねじ込むことによって、無影灯４を無影灯支持アーム５の先端に固定し、かつ、該球体１０のまわりに摺動部材の球受面が摺動して回動するように取り付けられている。
【発明の概要】
【発明が解決しようとする課題】
【０００５】
上述のごとき無影灯支持機構によれば、球受本体は球面の表面を全方向に摺動可能であるため、無影灯の光照射方向を任意所望の方向に向けることができ、その意味では非常に有効な支持機構であるが、無影灯をガタなく球体に取り付けるためには、摺動部材を球体に大きな圧接力をもって係合させなければならず、そのため、無影灯の向きを所望の方向（上下、左右方向）に変えようとした場合、球体表面と摺動部材との間の摩擦抵抗が大きく、無影灯の位置調整が困難であった。
【０００６】
本発明は、上述のごとき実情に鑑みてなされたもので、前記の球体１０を、無影灯支持アーム５の先端に該無影灯支持アーム５の軸線まわりに回動自在に取り付けるようにし、もって、無影灯４の支持アーム５のまわりの回転を前記球体の回転で行うようにし、無影灯４の左右方向の回転を容易にし、無影灯の左右方向の操作をより労力少なく、簡単に行えるようにすることを目的としてなされたものである。
【課題を解決するための手段】
【０００７】
本発明は、上記目的を達成するために、無影灯支持アームの先端に無影灯を上下及び左右方向に回動自在に保持する無影灯保持機構であって、該無影灯保持機構は、前記支持アームの先端に該支持アームの軸線まわりに回動可能に固定された球体と、無影灯に取り付けられ、前記支持アームの両側から前記球体表面に圧接される弧状球面を有する球受本体とから成り、前記無影灯は、前記球体と共に前記支持アームまわりに回動し、前記支持アームと平行の方向には、前記球受本体の弧状球面が前記球体面を摺動して回動することを特徴とするものである。
【発明の効果】
【０００８】
本発明によると、無影灯を左右方向へ動かす時の抵抗が小さく、無影灯の操作がし易く、術者の負担を軽減することができる。
【図面の簡単な説明】
【０００９】
【図１】本発明による無影灯支持機構の一実施例を説明するための要部構成図である。
【図２】本発明が適用される無影灯を有する歯科治療ユニットの一例を説明するための概略構成図である。
【図３】従来の無影灯支持機構の一例を説明するための図である。
【発明を実施するための形態】
【００１０】
図１は、本発明による無影灯支持機構の一実施例を説明するための要部構成図で、図４（Ｂ）に示した従来技術と同様の作用をする部分には、図４（Ｂ）の場合と同一の参照番号が付してある。図１において、１１１，１１２は、図４（Ｂ）にて説明したように、先端球受本体で、これら球受本体１１１，１１２を球体１０に向ってねじ込むことによって、これら球受本体１１１，１１２内に設けられた摺動部材１２１，１２２の弧状球面１２１ａ，１２２ａが球体１０の表面に圧接される。
【００１１】
而して、本発明においては、無影灯４の支持アーム５の先端は、前記球体１０を該支持アーム５の軸線まわりに回転可能に支持している。図１において、１３は支持アーム５に一体的に固定された化粧リング、１４は該支持アーム５に対して回動可能な軸受け（例えば、ルーロン）、１５は先端止のナットで、図示のように、支持アーム５の先端部に化粧リング１３を固定し、該支持アーム５に軸受１４を挿通して球体１０内に挿通し、該軸受１４の先端部を球体１０の段部１０ａで支え、該支持アーム５の最先端部５ａを該段部１０ａに貫通させ、該貫通させた最先端部５ａに止めナット１５を係合させ、該止めナット１５を締め付けることにより、球体１０を支持アーム５の先端に固定して取り付けるようにしている。なお、この取り付け機構は、図示例に限定されるものではなく、その他、任意所望の機構により、同様の作用をするように取り付けることができる。この球体１０の支持アーム５を挟む両側から、図４（Ｂ）にて説明したように、該球体１０の表面と係合して摺動する弧状球面１２１ａ、１２２ａを有する摺動部材１２１，１２２が球受本体１１１，１１２によって該球体１０に圧接され、その圧接力は、球受本体１１１，１１２のねじ込み量によって決められる。
【００１２】
上述のように、本発明によると、無影灯４は、無影灯支持アームの先端部に、上下方向及び左右方向に回動可能に取り付けることができ、しかも、左右方向の回動は、軸受けによって回動されるので（従来技術のように、球体表面との接触摺動によるものではないので）、回動をスムーズに行うことができ、術者の労力を軽減することができる。
【符号の説明】
【００１３】
４…無影灯、５…無影灯支持アーム、１０…球体、１１１，１１２…球受本体、１２１，１２２…摺動面、１３…化粧リング、１４…軸受け、１５…止めナット。
【図１】
2011156316.tif 000003
【図２】
2011156316.tif 000004
【図３】
2011156316.tif 000005